(57)【特許請求の範囲】
【請求項１】
アドレス表示欄を含む設定画面を表示し、ユーザーから操作を受け付け、ユーザー指定の送信先アドレスを前記アドレス表示欄に表示する操作パネルと、
前記操作パネルの表示動作を制御するとともに、前記操作パネルに対して行われた操作を検知する制御部と、を備え、
前記制御部は、前記アドレス表示欄に前記送信先アドレスを１行で表示し切れないと判断した場合、前記アドレス表示欄に前記送信先アドレスを複数行で表示させ、
前記操作パネルは、前記アドレス表示欄に前記送信先アドレスを表示しているときに、ユーザーから予め定められた個別表示操作を受け付けると、編集ボタンまたは詳細情報ボタンが付された前記送信先アドレスを欄内に配した個別アドレス表示欄を表示するとともに、前記アドレス表示欄に前記送信先アドレスを複数表示している場合には前記送信先アドレスごとに前記個別アドレス表示欄を表示し、
前記制御部は、前記編集ボタンに対する操作を検知すると、当該操作を受けた前記編集ボタンが付された前記送信先アドレスである対象送信先アドレスを編集する編集操作の受け付けを前記操作パネルに行わせ、前記詳細情報ボタンに対する操作を検知すると、当該操作を受けた前記詳細情報ボタンが付された前記送信先アドレスに関する情報の表示を前記操作パネルに行わせることを特徴とする通信装置。
【請求項２】
前記制御部は、前記アドレス表示欄に前記送信先アドレスを１行で表示し切れないと判断したとき、前記アドレス表示欄に表示させる前記送信先アドレスの文字サイズを予め定められた標準サイズよりも小さい小サイズに設定し、前記文字サイズを前記小サイズに設定しても前記アドレス表示欄に前記送信先アドレスを１行で表示し切れなければ、前記アドレス表示欄に前記送信先アドレスを複数行で表示させることを特徴とする請求項１に記載の通信装置。
【請求項３】
予め登録された登録アドレスと前記登録アドレスに関する情報とを対応付けて記憶する記憶部を備え、
前記操作パネルは、前記設定画面を表示しているとき、予め定められた第１操作をユーザーから受け付けると、ソフトウェアキーボードを表示し前記ソフトウェアキーボードを用いてアドレスを入力する入力操作をユーザーから受け付けるとともに、前記入力操作で入力された新規アドレスを前記送信先アドレスとして前記アドレス表示欄に表示する一方、予め定められた第２操作をユーザーから受け付けると、前記登録アドレスを表示し前記登録アドレスを指定する指定操作をユーザーから受け付けるとともに、前記指定操作で指定された前記登録アドレスを前記送信先アドレスとして前記アドレス表示欄に表示し、
前記操作パネルは、前記個別アドレス表示欄を表示するとき、前記新規アドレスには前記編集ボタンを付し、前記登録アドレスには前記詳細情報ボタンを付すことを特徴とする請求項１に記載の通信装置。
【請求項４】
前記制御部は、前記対象送信先アドレスを登録する登録操作を前記操作パネルが受け付けると、前記対象送信先アドレスを前記登録アドレスとして前記記憶部に記憶させ、
前記操作パネルは、前記登録操作を受け付けてから、前記対象送信先アドレスを欄内に配した前記個別アドレス表示欄を再度表示するとき、前記対象送信先アドレスに前記詳細情報ボタンを付すことを特徴とする請求項３に記載の通信装置。
【請求項５】
前記制御部は、前記対象送信先アドレスを登録する登録操作を前記操作パネルが受け付けると、前記対象送信先アドレスを前記登録アドレスとして前記記憶部に記憶させ、
前記操作パネルは、前記登録操作を受け付けてから、前記対象送信先アドレスを欄内に配した前記個別アドレス表示欄を再度表示するとき、前記対象送信先アドレスに前記編集ボタンを付すことを特徴とする請求項３に記載の通信装置。
【請求項６】
前記操作パネルは、前記個別アドレス表示欄を表示するとき、前記送信先アドレスに削除ボタンを付し、
前記制御部は、前記削除ボタンに対する操作を検知すると、当該操作を受けた前記削除ボタンが付された前記送信先アドレスを前記アドレス表示欄から消去させることを特徴とする請求項１に記載の通信装置。
【発明の詳細な説明】
【技術分野】
【０００１】
本発明は、送信先アドレスを表示する通信装置に関する。
【背景技術】
【０００２】
通信装置は、送信先アドレスの指定をユーザーから受け付ける。通信装置は、ユーザー指定の送信先アドレスにデータを送信する。通常、送信先アドレスの指定をユーザーから受け付けるため、通信装置には操作パネルが設けられる。操作パネルは、送信先アドレスの指定をユーザーから受け付けた後、ユーザー指定の送信先アドレスを表示する。これにより、ユーザーは送信先アドレスの確認を行える。【０００３】
操作パネルを備える通信装置は、たとえば、特許文献１に開示されている。特許文献１の通信装置は複合機である。特許文献１では、予め登録されたアドレス帳から送信先アドレスを指定することができる。
【先行技術文献】
【特許文献】
【０００４】
【特許文献１】特開２０１０−１７１８３２号公報
【発明の概要】
【発明が解決しようとする課題】
【０００５】
通信装置の操作パネルは、送信先アドレスの指定をユーザーから受け付けるとき、設定画面を表示する。設定画面には、ソフトウェアボタンなど種々の画面要素が配され、その中の１つにアドレス表示欄がある。操作パネルは、送信先アドレスの指定をユーザーから受け付けると、ユーザー指定の送信先アドレスをアドレス表示欄に表示する。ユーザーはデータ送信の開始に先立ち、アドレス表示欄に表示された送信先アドレスを確認する。【０００６】
ここで、送信先アドレスの文字数（数字や記号も含む数）が多い場合や、送信先アドレスが複数存在する場合には、アドレス表示欄に送信先アドレスを全て表示し切れないという不都合が生じ得る。この場合、ユーザーは自身が指定した送信先アドレスを確認することができない。したがって、ユーザーにとっては利便性が悪い。たとえば、装置仕様によっては、操作パネルに対して所定操作を行うことにより、設定画面とは別画面にユーザー指定の送信先アドレスを全て表示することができるものがある。しかし、ユーザーからすると、所定操作を行ったり、表示画面を設定画面に戻すための操作を行ったりしなければならないのは、煩わしい。【０００７】
本発明は、上記課題を解決するためになされたものであり、アドレス表示欄に表示された送信先アドレスの確認を行うユーザーの利便性を向上させることが可能な通信装置を提供することを目的とする。
【課題を解決するための手段】
【０００８】
上記目的を達成するため、本発明の通信装置は、アドレス表示欄を含む設定画面を表示し、ユーザーから操作を受け付け、ユーザー指定の送信先アドレスをアドレス表示欄に表示する操作パネルと、操作パネルの表示動作を制御するとともに、操作パネルに対して行われた操作を検知する制御部と、を備える。制御部は、アドレス表示欄に送信先アドレスを１行で表示し切れないと判断した場合、アドレス表示欄に送信先アドレスを複数行で表示させる。【０００９】
本発明の構成では、ユーザー指定の送信先アドレスをアドレス表示欄に１行で表示し切れない場合（ユーザー指定の送信先アドレスの文字数が多い場合やユーザー指定の送信先アドレスが複数存在する場合など）、ユーザー指定の送信先アドレスがアドレス表示欄に複数行で表示される。これにより、ユーザー指定の送信先アドレスをアドレス表示欄に漏れなく全て表示することができる。その結果、ユーザーからすると、自身が指定した送信先アドレスの全てを表示するための専用の操作を行わなくても、自身が指定した送信先アドレスの全てを漏れなく確認することができるので、利便性が良い。
【発明の効果】
【００１０】
本発明の構成では、アドレス表示欄に表示された送信先アドレスの確認を行うユーザーの利便性を向上させることができる。
【図面の簡単な説明】
【００１１】
【図１】本発明の一実施形態による複合機の構成を示すブロック図
【図２】本発明の一実施形態による複合機の操作パネルが表示する設定画面を示す図
【図３】本発明の一実施形態による複合機の操作パネルが表示するキーボード画面を示す図
【図４】本発明の一実施形態による複合機の操作パネルが表示するアドレス帳画面を示す図
【図５】本発明の一実施形態による複合機の制御部が行う表示形態変更処理の流れを示すフローチャート
【図６】本発明の一実施形態による複合機の操作パネルが表示する設定画面を示す図（送信先アドレスの文字サイズが小サイズである場合の図）
【図７】本発明の一実施形態による複合機の操作パネルが表示する設定画面を示す図（送信先アドレスが複数行で表示されている場合の図）
【図８】本発明の一実施形態による複合機の制御部が行う個別表示処理について説明するための図
【図９】本発明の一実施形態による複合機の制御部が行うボタン設定処理について説明するための図
【発明を実施するための形態】
【００１２】
以下に、本発明の一実施形態による通信装置について、プリント機能、スキャン機能および送信機能など複数種の機能が搭載された画像形成装置である複合機を例にとって説明する。
【００１３】
＜複合機の全体構成＞
図１に示すように、本実施形態の複合機１００（「通信装置」に相当）は、制御部１を備える。制御部１は、ＣＰＵを含む。制御部１は、複合機１００の全体制御を行う。
【００１４】
制御部１には、画像読取部１０１および印刷部１０２が接続される。画像読取部１０１は、原稿を読み取り、当該読み取った原稿の画像データを生成する。印刷部１０２は、画像（トナー像）を形成し、当該形成した画像を用紙に印刷する。制御部１は、画像読取部１の読取動作を制御するとともに、印刷部１０２の印刷動作を制御する。
【００１５】
また、複合機１００は、ネットワークインターフェィス部２１を備える。ネットワークインターフェィス部２１は、インターネット回線や電話回線などのネットワークＮＴに複合機１００を接続するためのインターフェイスである。ネットワークインターフェィス部２１は、ＬＡＮ通信を行うためのＬＡＮ通信回路やＦＡＸ通信を行うためのＦＡＸ通信回路などを含む。
【００１６】
ネットワークインターフェィス部２１は、制御部１に接続される。制御部１は、ネットワークインターフェィス部２１を制御し、ネットワークＮＴに接続された外部通信機器２０１と通信する。ネットワークＮＴには、外部通信機器２０１として、パーソナルコンピューターやファクシミリなどが接続される。制御部１は、外部通信機器２０１と通信することにより、外部通信機器２０１にデータを送信するジョブを実行する。たとえば、画像読取部１が読み取った原稿の画像データを外部通信機器２０１に送信するジョブを実行することができる。また、画像読取部１が読み取った原稿の画像データを添付した電子メールを外部通信機器２０１に送信するジョブを実行することもできる。
【００１７】
また、複合機１００は、ＵＳＢインターフェイス部２２を備える。ＵＳＢインターフェィス部２２は、ＵＳＢメモリーなどのＵＳＢデバイス２０２を複合機１００に接続するためのインターフェイスである。ＵＳＢインターフェイス部２２は、ＵＳＢデバイス２０２の端子が差し込まれるソケットや、当該ソケットに差し込まれたＵＳＢデバイス２０２との間で通信を行うためのＵＳＢ通信回路などを含む。
【００１８】
ＵＳＢインターフェィス部２２は、制御部１に接続される。制御部１は、ＵＳＢインターフェィス部２２を制御し、ＵＳＢインターフェイス部２２に接続されたＵＳＢデバイス２０２と通信する。制御部１は、ＵＳＢデバイス２０２と通信することにより、ＵＳＢデバイス２０２にデータを送信（保存）するジョブを実行する。たとえば、画像読取部１が読み取った原稿の画像データをＵＳＢデバイス２０２に送信（保存）するジョブを実行することができる。制御部１は、ＵＳＢデバイス２０２に保存されたデータを読み出すこともできる。
【００１９】
ネットワークインターフェィス部２１およびＵＳＢインターフェィス部２２は共に、外部機器と通信可能に接続され、外部機器と通信するための通信部として機能する。以下の説明では、特に区別する必要がない場合、ネットワークインターフェィス部２１およびＵＳＢインターフェィス部２２を総じて通信部２と称するとともに、外部通信機器２０１およびＵＳＢデバイス２０２を総じて外部機器２００と称する。また、外部機器２００にデータを送信（保存）するジョブを送信ジョブと称する。
【００２０】
また、複合機１００は、記憶部３を備える。記憶部３は、ＲＯＭやＲＡＭ、ＨＤＤなどを含む。記憶部３は、制御部１に接続される。制御部１は、記憶部３へのデータの書き込みおよび記憶部３からのデータの読み出しを行う。
【００２１】
たとえば、記憶部３には、アドレス帳情報３０が記憶される。アドレス帳情報３０は、送信ジョブの送信先となり得るアドレスでありユーザーにより予め登録されたアドレスである登録アドレスを含む。登録アドレスには、登録アドレスに関する情報（以下、登録情報と称する）が対応付けられる。たとえば、登録アドレスに対応する送信先名（会社名、部署名および人名など）などを登録情報として登録アドレスに対応付けることができる。また、アドレスを複数登録し複数の登録アドレスをグループ分けした場合には、登録アドレスが属するグループを登録情報に含めることができる。
【００２２】
また、複合機１００は、操作パネル４を備える。操作パネル４は、タッチスクリーン４１およびハードウェアボタン４２を含む。タッチスクリーン４１は、画面を表示し、表示画面に対するタッチ操作を受け付ける。ハードウェアボタン４２は、操作パネル４に複数設けられる。たとえば、ハードウェアボタン４２としては、送信ジョブの実行指示をユーザーから受け付けるためのスタートボタンがある。
【００２３】
操作パネル４は、制御部１に接続される。制御部１は、操作パネル４の表示動作を制御する。また、制御部１は、操作パネル４に対して行われた操作（タッチスクリーン４１に対するタッチ操作およびハードウェアボタン４２に対する押下操作）を検知する。
【００２４】
たとえば、制御部１は、アドレス（当該アドレスに対応付ける情報）の登録受付を操作パネル４に行わせる。そして、制御部１は、操作パネル４が登録を受け付けたアドレスを登録アドレスとしてアドレス帳情報３０に含める。
【００２５】
＜送信先アドレスの設定＞
複合機１００の主電源が投入されると、制御部１は、初期画面としてのホーム画面（図示せず）を操作パネル４に表示させる。このときに操作パネル４に表示されるホーム画面は、複合機１００に搭載された複数種の機能から使用機能を選択する機能選択操作をユーザーから受け付けるための画面である。制御部１は、機能選択操作で送信機能が選択されたことを検知すると、送信先アドレスの設定受付を操作パネル４に行わせる。
【００２６】
このとき、操作パネル４は、図２に示すような設定画面４１０を表示し、送信先アドレスの設定をユーザーから受け付ける。設定画面４１０には、アドレス表示欄Ｃ１１が配される。また、設定画面４１０には、新規入力ボタンＢ１１およびアドレス帳ボタンＢ１２が配される。
【００２７】
新規入力ボタンＢ１１に対するタッチ操作（「第１操作」に相当）を検知した場合、制御部１は、図３に示すようなキーボード画面４２０を操作パネル４に表示させる。キーボード画面４２０には、ソフトウェアキーボードＳＫが表示される。
【００２８】
操作パネル４は、ソフトウェアキーボードＳＫを用いてアドレス（文字列）を入力する入力操作をユーザーから受け付け、入力操作で入力された新規アドレスをキーボード画面４２０の入力欄Ｃ２１に表示する。入力欄Ｃ２１に新規アドレスを表示しているとき、キーボード画面４２０の確定ボタンＢ２１に対する操作を受け付けると、操作パネル４は、キーボード画面４２０の表示を停止し、設定画面４１０を表示する。このとき、操作パネル４は、入力操作で入力された新規アドレスをアドレス表示欄Ｃ１１に表示する。
【００２９】
アドレス帳ボタンＢ１２に対するタッチ操作（「第２操作」に相当）を検知した場合、制御部１は、図４に示すようなアドレス帳画面４３０を操作パネル４に表示させる。アドレス帳画面４３０には、登録アドレス（登録情報）を配したアドレス帳ＡＢが表示される。登録アドレスが複数存在する場合には、複数の登録アドレスがアドレス帳画面４３０（アドレス帳ＡＢ）に表示される。
【００３０】
操作パネル４は、アドレス帳画面４３０を表示しているとき、アドレス帳ＡＢから登録アドレスを指定する指定操作をユーザーから受け付ける。たとえば、登録アドレスの表示領域に対するタッチ操作が指定操作として受け付けられ、指定操作で指定した登録アドレスの表示領域は白黒反転する。指定操作を受け付けた後、アドレス帳画面４３０の確定ボタンＢ３１に対する操作を受け付けると、操作パネル４は、アドレス帳画面４３０の表示を停止し、設定画面４１０を表示する。このとき、操作パネル４は、指定操作で指定された登録アドレスをアドレス表示欄Ｃ１１に表示する。
【００３１】
制御部１は、アドレス表示欄Ｃ１１にアドレス（新規アドレスや登録アドレス）が表示されている状態で、操作パネル４にハードウェアボタン４２として設けられたスタートボタンに対する押下操作を検知すると、アドレス表示欄Ｃ１１に表示されているアドレスをユーザー指定の送信先アドレスとして認識する（アドレス表示欄Ｃ１１に表示されているアドレスを送信先アドレスに設定する）。すなわち、アドレス表示欄Ｃ１１に表示されているアドレスはユーザー指定の送信先アドレスである。
【００３２】
制御部１は、アドレス表示欄Ｃ１１に表示されているアドレスを送信先アドレスに設定すると、通信部２を用いて、ユーザー指定の送信先アドレスにデータ（画像読取部１が読み取った原稿の画像データなど）を送信する。すなわち、制御部１は、送信ジョブを実行する。
【００３３】
なお、複数の外部機器２００に対し同一データを一斉送信したい場合には、当該複数の外部機器２００の各アドレスを送信先アドレスに設定することができる。この場合には、複数の送信先アドレスがアドレス表示欄Ｃ１１に表示される。複数の送信先アドレスがアドレス表示欄Ｃ１１に表示されている場合には、表示中の各送信先アドレスはカンマで区切られる。当該カンマは自動的に挿入される。
【００３４】
＜表示形態変更処理＞
操作パネル４は、通常、設定画面４１０のアドレス表示欄Ｃ１１に送信先アドレスを１行で表示する。また、通常では、アドレス表示欄Ｃ１１に表示される送信先アドレスに含まれる文字のサイズ（以下、送信先アドレスの文字サイズと称する）は予め定められた標準サイズに設定される。文字サイズが標準サイズの送信先アドレスを図２に示す。
【００３５】
送信先アドレスが複数存在する場合にも、送信先アドレスの文字サイズは標準サイズに設定され、送信先アドレスはアドレス表示欄Ｃ１１に１行で表示される。しかし、送信先アドレスの文字数（数字や記号も含む数）によっては、アドレス表示欄Ｃ１１に送信先アドレスを１行で表示し切れない場合がある。
【００３６】
この場合、制御部１は、図５に示すフローチャートに沿った処理（表示形態変更処理）を行うことにより、送信先アドレスに含まれる全ての文字（数字や記号も含む）をアドレス表示欄Ｃ１１に表示させる。
【００３７】
以下、図５に示すフローチャートを参照し、制御部１が行う表示形態変更処理の流れを説明する。図５に示すフローチャートは、送信先アドレスの文字サイズが標準サイズのままではアドレス表示欄Ｃ１１に送信先アドレスを表示し切れないと制御部１が判断したときにスタートする。
【００３８】
なお、制御部１は、キーボード画面４２０の確定ボタンＢ２１やアドレス帳画面４３０の確定ボタンＢ３１に対するタッチ操作を検知すると、アドレス表示欄Ｃ１１に表示すべき送信先アドレスである表示対象アドレスの文字数を対象文字数として求める。表示対象アドレスが複数存在する場合、制御部１は、複数の表示対象アドレスの各文字数を合計した値を対象文字数として求める。その後、制御部１は、対象文字数が予め定められた標準サイズ用の上限数以上であるか否かを判断する。そして、制御部１は、対象文字数が標準サイズ用の上限数以上であれば、送信先アドレスの文字サイズが標準サイズのままではアドレス表示欄Ｃ１１に送信先アドレスを表示し切れないと判断する（表示形態変更処理を行う）。
【００３９】
ステップＳ１において、制御部１は、アドレス表示欄Ｃ１１に表示させる送信先アドレスの文字サイズを標準サイズよりも小さい予め定められた小サイズに設定（変更）する。特に限定されないが、標準サイズは１２ポイント〜２２ポイントである。
【００４０】
ステップＳ２おいて、制御部１は、送信先アドレスの文字サイズを標準サイズから小サイズに変更すると送信先アドレスに含まれる全ての文字をアドレス表示欄Ｃ１１に１行で表示させることが可能になるか否かを判断する。このとき、制御部１は、対象文字数が予め定められた小サイズ用の上限数以上であるか否かを判断する。その結果、対象文字数が小サイズ用の上限数未満であれば、制御部１は、送信先アドレスの文字サイズを小サイズに変更すると送信先アドレスに含まれる全ての文字をアドレス表示欄Ｃ１１に１行で表示させることが可能になると判断する。この場合にステップＳ３に移行する。
【００４１】
ステップＳ３に移行すると、制御部１は、操作パネル４に指示し、文字サイズが小サイズの送信先アドレスを１行でアドレス表示欄Ｃ１１に表示させる。文字サイズが小サイズの送信先アドレスが１行でアドレス表示欄Ｃ１１に表示されている状態を図６に示す。
【００４２】
図５に戻り、ステップＳ２において、送信先アドレスの文字サイズを標準サイズから小サイズに変更しても送信先アドレスに含まれる全ての文字をアドレス表示欄Ｃ１１に表示させることができない（対象文字数が予め定められた小サイズ用の上限数以上になる）と制御部１が判断した場合には、ステップＳ４に移行する。
【００４３】
ステップＳ４に移行すると、制御部１は、操作パネル４に指示し、文字サイズが小サイズの送信先アドレスを複数行でアドレス表示欄Ｃ１１に表示させる。言い換えると、制御部１は、アドレス表示欄Ｃ１１に送信先アドレスを表示させるときの行数（表示行数）を１行から複数行に設定（変更）する。デフォルトでは表示行数が１行に設定される。文字サイズが小サイズの送信先アドレスが複数行でアドレス表示欄Ｃ１１に表示されている状態を図７に示す。図７では、一例として、表示行数が２行に設定された状態を図示する。
【００４４】
なお、アドレス表示欄Ｃ１１に送信先アドレスを複数行で表示するときに、アドレス表示欄Ｃ１１の上下方向（行方向と直交する方向）のサイズをアドレス表示欄Ｃ１１に送信先アドレスを１行で表示するときのサイズよりも拡大してもよい。また、アドレス表示欄Ｃ１１の上下方向のサイズを拡大する場合には、送信先アドレスの文字サイズを標準サイズのまま維持してもよい。
【００４５】
＜個別表示処理＞
設定画面４１０のアドレス表示欄Ｃ１１に表示されている送信先アドレスの文字サイズが小サイズである場合には、ユーザーにとって送信先アドレスが見難くなる。場合によっては、送信先アドレスの確認が困難になる。
【００４６】
そこで、制御部１は、設定画面４１０の表示中、個別表示処理の実行を指示する操作（個別表示操作）の受け付けを操作パネル４に行わせる。操作パネル４は、設定画面４１０に個別表示ボタンＢ１３（図２参照）を配し、個別表示ボタンＢ１３に対するタッチ操作を個別表示操作として受け付ける。制御部１は、操作パネル４に対する個別表示操作を検知すると、個別表示処理を実行する。
【００４７】
たとえば、図８上図に示すように、アドレス表示欄Ｃ１１に複数（ここでは、３つとする）の送信先アドレスが表示されているとする。そして、このとき、操作パネル４に対して個別表示操作が行われたとする。この場合、制御部１は、操作パネル４に指示し、図８上図に示す状態から図８下図に示す状態に設定画面４１０を遷移させる。
【００４８】
具体的には、制御部１は、操作パネル４に指示し、アドレス表示欄Ｃ１１に表示されている複数の送信先アドレスにそれぞれ対応する複数の個別アドレス表示欄Ｃ１２を設定画面４１０に表示させる。すなわち、操作パネル４は、送信先アドレスごとに個別アドレス表示欄Ｃ１２を設定画面４１０に表示する。
【００４９】
なお、アドレス表示欄Ｃ１１に表示されている複数の送信先アドレスにそれぞれ対応する複数の個別アドレス表示欄Ｃ１２を同一画面に全て表示し切れない場合がある。この場合、制御部１は、予め定められたスクロール操作の受け付けを操作パネル４に行わせる。
【００５０】
制御部１は、操作パネル４がユーザーからスクロール操作を受け付けたことを検知すると、現在表示中のいずれかの個別アドレス表示欄Ｃ１２（たとえば、最上段の個別アドレス表示欄Ｃ１２）に代えて、新たな個別アドレス表示欄Ｃ１２を操作パネル４に表示させる。すなわち、スクロール操作の受付前に表示されていた複数の個別アドレス表示欄Ｃ１２のうち、最上段の個別アドレス表示欄Ｃ１２の表示が停止され、他の個別アドレス表示欄Ｃ１２がそれぞれ１つ上の段にスクロールする。そして、新たな個別アドレス表示欄Ｃ１２が最下段に表示される。ユーザーがスクロール操作を再度行うと、個別アドレス表示欄Ｃ１２のスクロールが繰り返される。
【００５１】
図８に示す例では、アドレス表示欄Ｃ１１に３つの送信先アドレスが表示されているので、個別アドレス表示欄Ｃ１２の表示数は３つとなる。図示しないが、アドレス表示欄Ｃ１１に表示されている送信先アドレスが１つである場合には、当該送信先アドレスに対応する個別アドレス表示欄Ｃ１２だけが設定画面４１０に表示される。
【００５２】
個別アドレス表示欄Ｃ１２には、対応する送信先アドレスが表示される。たとえば、個別アドレス表示欄Ｃ１２に表示される送信先アドレスの文字サイズは標準サイズである。ただし、送信先アドレスの文字サイズが標準サイズよりも大きくても送信先アドレスに含まれる全ての文字（数字や記号も含む）を個別アドレス表示欄Ｃ１２に表示し切れる場合には、個別アドレス表示欄Ｃ１２に表示する送信先アドレスの文字サイズを標準サイズよりも大きいサイズに設定してもよい。一方で、送信先アドレスの文字サイズが標準サイズでは送信先アドレスに含まれる全ての文字を個別アドレス表示欄Ｃ１２に表示し切れない場合には、個別アドレス表示欄Ｃ１２に表示する送信先アドレスの文字サイズを標準サイズよりも小さいサイズ（ただし、アドレス表示欄Ｃ１１に表示されている送信先アドレスの文字サイズよりも大きいサイズ）に設定してもよい。
【００５３】
また、個別アドレス表示欄Ｃ１２に配される送信先アドレスには、編集ボタンＢ１４または詳細情報ボタンＢ１５が付される。編集ボタンＢ１４および詳細情報ボタンＢ１５のいずれが送信先アドレスに付されるかは、送信先アドレスがソフトウェアキーボードＳＫを用いて入力された新規アドレス（入力操作で入力された新規アドレス）であるかアドレス帳ＡＢから指定された登録アドレス（指定操作で指定された登録アドレス）であるかによって変わる。
【００５４】
具体的には、制御部１は、アドレス表示欄Ｃ１１に表示されている送信先アドレスが新規アドレスであるか登録アドレスであるかを判断するアドレス判断処理を行う。アドレス表示欄Ｃ１１に複数の送信先アドレスが表示されている場合には、送信先アドレスごとに新規アドレスであるか登録アドレスであるかの判断が制御部１により行われる。
【００５５】
そして、制御部１は、個別アドレス表示欄Ｃ１２を操作パネル４に表示させるとき、当該個別アドレス表示欄Ｃ１２に配する送信先アドレスに付すボタンを設定するボタン設定処理（編集ボタンＢ１４および詳細情報ボタンＢ１５のいずれを送信先アドレスに付すかの設定）を行う。アドレス表示欄Ｃ１１に複数の送信先アドレスが表示されている場合には、送信先アドレスごとに制御部１によるボタン設定処理が行われる。
【００５６】
アドレス判断処理の結果、個別アドレス表示欄Ｃ１２に配する送信先アドレスが新規アドレスであると判断した場合、制御部１は、当該送信先アドレスに付すボタンを編集ボタンＢ１４に設定する処理をボタン設定処理として行う。この場合、操作パネル４は、当該送信先アドレスを欄内に配した個別アドレス表示欄Ｃ１２を表示するとき、当該送信先アドレスに編集ボタンＢ１４を付す。
【００５７】
一方で、アドレス判断処理の結果、個別アドレス表示欄Ｃ１２に配する送信先アドレスが登録アドレスであると判断した場合、制御部１は、当該送信先アドレスに付すボタンを詳細情報ボタンＢ１５に設定する処理をボタン設定処理として行う。この場合、操作パネル４は、当該送信先アドレスを欄内に配した個別アドレス表示欄Ｃ１２を表示するとき、当該送信先アドレスに詳細情報ボタンＢ１５を付す。
【００５８】
図８下図では、送信先アドレス「ｔｅｓｔ１＠ｃｏ．ｃｏｍ」には詳細情報ボタンＢ１５が付され、送信先アドレス「ｔｅｓｔ２＠ｃｏ．ｃｏｍ」には編集ボタンＢ１４が付され、送信先アドレス「ｔｅｓｔ３＠ｃｏ．ｃｏｍ」には詳細情報ボタンＢ１５が付されている。すなわち、送信先アドレス「ｔｅｓｔ１＠ｃｏ．ｃｏｍ」は登録アドレスであり、送信先アドレス「ｔｅｓｔ２＠ｃｏ．ｃｏｍ」は新規ドレスであり、送信先アドレス「ｔｅｓｔ３＠ｃｏ．ｃｏｍ」は登録アドレスである。
【００５９】
個別アドレス表示欄Ｃ１２の表示中、編集ボタンＢ１４に対してタッチ操作が行われたことを検知すると、制御部１は、当該タッチ操作を受けた編集ボタンＢ１４が付された送信先アドレス（以下、対象送信先アドレスと称する）を編集する編集操作の受け付けを操作パネル４に行わせる。操作パネル４は、編集画面（図示せず）を表示し、ユーザーから編集操作を受け付ける。
【００６０】
編集画面では、対象送信先アドレスの修正を行える。すなわち、対象送信先アドレスに含まれる文字を変更したり削除したりすることができるとともに、対象送信先アドレスに文字を追加することができる。
【００６１】
また、操作パネル４は、編集画面の表示中、対象送信先アドレス（編集前の対象送信先アドレスでもよいし編集後の対象送信先アドレスでもよい）を登録する登録操作をユーザーから受け付ける。このとき、操作パネル４は、たとえば、対象送信先アドレスに関する情報の入力もユーザーから受け付ける。
【００６２】
制御部１は、操作パネル４が登録操作を受け付けると、対象送信先アドレスを登録アドレスとして記憶部３に記憶させる（アドレス帳情報３０に追加する）。このとき、制御部１は、対象送信先アドレスに関する情報の入力を操作パネル４が受け付けていれば、当該情報を登録情報として記憶部３に記憶させるとともに、当該情報を登録アドレス（対象送信先アドレス）に対応付ける。
【００６３】
制御部１は、操作パネル４が登録操作を受け付けた後、操作パネル４に設定画面４１０を表示させる。このとき、制御部１は、ボタン設定処理を行う。この時点では、対象送信先アドレスは既に登録されている。したがって、制御部１は、対象送信先アドレスが登録アドレスであると判断し、対象送信先アドレスに付すボタンを詳細情報ボタンＢ１５に設定する。すなわち、対象送信先アドレスに対応する個別アドレス表示欄Ｃ１２には、詳細情報ボタンＢ１５が付された対象送信先アドレスが配される。
【００６４】
たとえば、図８に示す例において、送信先アドレス「ｔｅｓｔ２＠ｃｏ．ｃｏｍ」が新たに登録されたとする。この場合、図９に示すように、送信先アドレス「ｔｅｓｔ２＠ｃｏ．ｃｏｍ」に編集ボタンＢ１４が付された状態（図９の上図参照）から、送信先アドレス「ｔｅｓｔ２＠ｃｏ．ｃｏｍ」に詳細情報ボタンＢ１５が付された状態（図９の下図参照）に変化する。
【００６５】
なお、対象送信先アドレスの登録後、対象送信先アドレスに付されるボタンが編集ボタンＢ１４のまま維持されてもよい。この場合、制御部１は、操作パネル４が登録操作を受け付けた後、対象送信先アドレスに付すボタンを編集ボタンＢ１４に設定する処理をボタン設定処理として行ってから、操作パネル４に設定画面４１０（個別アドレス表示欄Ｃ１２）を表示させる。これにより、対象送信先アドレスに対応する個別アドレス表示欄Ｃ１２には、編集ボタンＢ１４が付された対象送信先アドレスが配される。
【００６６】
このようにすると、対象送信先アドレスを登録した後であっても、対象送信先アドレスに付された編集ボタンＢ１４を操作するだけで、対象送信先アドレスを再度編集することができるので、ユーザーの利便性が向上する。対象送信先アドレスに編集ボタンＢ１４が付されていなければ、アドレス帳ＡＢを開き、アドレス帳ＡＢから対象送信先アドレスを検索して編集対象として選択する必要があるので、ユーザーにとっては煩わしい。
【００６７】
個別アドレス表示欄Ｃ１２の表示中、詳細情報ボタンＢ１５に対してタッチ操作が行われたことを検知すると、制御部１は、当該タッチ操作を受けた詳細情報ボタンＢ１５が付された送信先アドレスに関する情報（登録情報）を操作パネル４に表示させる。操作パネル４は、たとえば、登録情報を配した詳細情報画面（図示せず）を表示する。
【００６８】
また、操作パネル４は、個別アドレス表示欄Ｃ１２を表示するとき、個別アドレス表示欄Ｃ１２に配する送信先アドレスに削除ボタンＢ１６を付す。制御部１は、削除ボタンＢ１６に対してタッチ操作が行われたことを検知すると、操作パネル４に指示し、当該タッチ操作を受けた削除ボタンＢ１６が付された送信先アドレスをアドレス表示欄Ｃ１１から消去させる。
【００６９】
本実施形態の複合機１００は、上記のように、アドレス表示欄Ｃ１１を含む設定画面４１０を表示し、ユーザーから操作を受け付け、ユーザー指定の送信先アドレスをアドレス表示欄Ｃ１１に表示する操作パネル４と、操作パネル４の表示動作を制御するとともに、操作パネル４に対して行われた操作を検知する制御部１と、を備える。制御部１は、ユーザー指定の送信先アドレスをアドレス表示欄Ｃ１１に１行で表示し切れないと判断した場合、ユーザー指定の送信先アドレスをアドレス表示欄Ｃ１１に複数行で表示させる。
【００７０】
本実施形態の構成では、ユーザー指定の送信先アドレスをアドレス表示欄Ｃ１１に１行で表示し切れない場合（ユーザー指定の送信先アドレスの文字数が多い場合やユーザー指定の送信先アドレスが複数存在する場合など）、ユーザー指定の送信先アドレスがアドレス表示欄Ｃ１１に複数行で表示される。これにより、ユーザー指定の送信先アドレスをアドレス表示欄Ｃ１１に漏れなく表示することができる。その結果、ユーザーからすると、自身が指定した送信先アドレスの全てを表示するための専用の操作を行わなくても、自身が指定した送信先アドレスの全てを漏れなく確認することができるので、利便性が良い。
【００７１】
また、本実施形態では、上記のように、制御部１は、ユーザー指定の送信先アドレスをアドレス表示欄Ｃ１１に１行で表示し切れないと判断したとき、アドレス表示欄Ｃ１１に表示させるユーザー指定の送信先アドレスの文字サイズを予め定められた標準サイズよりも小さい小サイズに設定する。これにより、ユーザー指定の送信先アドレスをアドレス表示欄Ｃ１１に漏れなく表示することができる。しかし、文字サイズを小サイズに設定しても、ユーザー指定の送信先アドレスをアドレス表示欄Ｃ１１に１行で表示し切れない場合がある。この場合に、制御部１は、ユーザー指定の送信先アドレスをアドレス表示欄Ｃ１１に複数行で表示させる。なお、ユーザー指定の送信先アドレスがアドレス表示欄Ｃ１１に複数行で表示されるときには、ユーザー指定の送信先アドレスの文字サイズは小サイズに設定される。したがって、ユーザー指定の送信先アドレスをアドレス表示欄Ｃ１１に複数行で表示することができる。
【００７２】
また、本実施形態では、上記のように、操作パネル４は、ユーザー指定の送信先アドレスをアドレス表示欄Ｃ１１に表示しているときに、ユーザーから予め定められた個別表示操作を受け付けると、編集ボタンＢ１４または詳細情報ボタンＢ１５が付された送信先アドレスを欄内に配した個別アドレス表示欄Ｃ１２を表示する、ユーザー指定の送信先アドレスをアドレス表示欄Ｃ１１に複数表示している場合、操作パネル４は、個別アドレス表示欄Ｃ１２を送信先アドレスごとに表示する。そして、編集ボタンＢ１４に対する操作を検知すると、制御部１は、当該操作を受けた編集ボタンＢ１４が付された送信先アドレスである対象送信先アドレスを編集する編集操作の受け付けを操作パネル４に行わせる。一方で、詳細情報ボタンＢ１５に対する操作を検知すると、制御部１は、当該操作を受け詳細情報ボタンＢ１５が付された送信先アドレスに関する情報の表示を操作パネル４に行わせる。この構成では、自身が指定した送信先アドレスを個別に確認することができるようになるので、ユーザーにとっては利便性が良い。また、ユーザー指定の送信先アドレスを編集することができるとともに、ユーザー指定の送信先アドレスに関する情報を表示することができるので、ユーザーの利便性がより向上する。
【００７３】
ここで、ソフトウェアキーボードＳＫを用いて送信先アドレスを入力すると、入力ミスが発生する恐れがある。入力ミスが発生した場合には、送信先アドレスを編集（修正）する必要がある。一方で、アドレス帳ＡＢから送信先アドレスを指定した場合には、送信先アドレスの編集は不要である。このため、送信先アドレスが新規アドレス（ソフトウェアキーボードＳＫを用いて入力されたアドレス）である場合には送信先アドレスに編集ボタンＢ１４を付し、送信先アドレスが登録アドレスである場合には送信先アドレスに詳細情報ボタンＢ１５を付すのが好ましい。
【００７４】
また、本実施形態では、上記のように、個別アドレス表示欄Ｃ１２の送信先アドレスに削除ボタンＢ１６が付されるので、容易に、ユーザーにとって不要な送信先アドレスをアドレス表示欄Ｃ１１から消去することができる。
【００７５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【図１】
0006950814.tif 000002
【図２】
0006950814.tif 000003
【図３】
0006950814.tif 000004
【図４】
0006950814.tif 000005
【図５】
0006950814.tif 000006
【図６】
0006950814.tif 000007
【図７】
0006950814.tif 000008
【図８】
0006950814.tif 000009
【図９】
0006950814.tif 000010